(57)【要約】      （修正有）【課題】容易に高さ調整と傾斜調整が可能で離れた複数地点の高さ調整を単体で行うことができる装置を提供する。【解決手段】挿入する部材である挿入材３と挿入される部材である被挿入材１の２個の部材による構成とし、挿入材３の出入りの位置を制御することによって高さと傾斜の調整を行う。高さと傾斜の調整のために２つの手段を有する。第１の手段は、被挿入材１の側板の貫通穴４にねじ込む、手締めねじ５であり、挿入材３と被挿入材１とを固定する。第２の手段は、側板の開口部６Ａ，６Ｂから差し入れる高さ調整材７Ａ、７Ｂであり、厚みの異なる板状の調整材７Ａ，７Ｂを適宜枚数選択し、挿入材３の高さおよび傾斜調整を行う。【選択図】図１
2012149758.tif 000002
【特許請求の範囲】
【請求項１】
挿入する部材である板形の挿入材と挿入用の開口部を有し挿入材を４方から囲い挿入材がその内側を円滑に出入りできる空洞を有した挿入される部材である被挿入材の２個の部材よりなり、被挿入材の側板に設けられた２個以上の窓形の開口部から厚みの異なる板を任意の高さに集積した高さ調整材を差し入れ、挿入材の出入りを任意の位置で固定することにより高さと傾斜を調整する装置。
【請求項２】
挿入する部材である板形の挿入材と挿入用の開口部を有し挿入材を４方から囲い挿入材がその内側を円滑に出入りできる空洞を有した挿入される部材である被挿入材の２個の部材よりなり、被挿入材の側板に設けられた２個以上のボルト等挿入用の貫通穴にボルト等の金具を通してねじ込むことにより挿入材と被挿入材を固定し、被挿入材の側板に設けられた２個以上の窓形の開口部から厚みの異なる板を任意の高さに集積した高さ調整材を差し入れ、挿入材の出入りを任意の位置で固定することにより高さと傾斜を調整する装置。
【請求項３】
挿入する部材である板形の挿入材と挿入用の開口部を有し挿入材を４方から囲い挿入材がその内側を円滑に出入りできる空洞を有した挿入される部材である被挿入材の２個の部材よりなり、被挿入材の側板に設けられた２個以上のボルト等挿入用の貫通穴にボルト等の金具を通してねじ込むことにより挿入材と被挿入材を固定し、被挿入材の側板に設けられた２個以上の窓形の開口部から厚みの異なる板を任意の高さに集積した高さ調整材を差し入れ、挿入材の出入りを任意の位置で固定することにより高さと傾斜を調整する装置で各開口部から差し入れられた高さ調整材が突き当たる被挿入材の側板の該当箇所に高さ調整材の先端部分を収容するための縦溝が設けられた装置。
【発明の詳細な説明】
【技術分野】
【０００１】本発明は高さ調整および傾斜調整を行う装置に関する。
【背景技術】
【０００２】アジャスターは高さ調整の用具であるため傾斜面を水平面に調整することは複数のアジャスターを使っても困難である。アジャスターの底面と上面は平行なのでアジャスターを傾斜面に設置すると高さ調整の方向が斜面に対し垂直となり上面は天地に対して水平にならないためである。またアジャスターは１点の高さを調整する用具であるため離れた複数地点の高さ調整を行うには複数のアジャスターが必要である。
【発明が解決しようとする課題】
【０００３】本発明の課題は、容易に高さと傾斜の調整を行うことができ離れた複数地点の高さ調整を単体で行うことができる装置を提供することにある。
【課題を解決するための手段】
【０００４】上記の課題を解決するため本発明は挿入する部材である挿入材と挿入される部材である被挿入材の２個の部材よりなり挿入材が被挿入材の内側にある空洞の中を上下に出入りする構造とし挿入材の出入りの位置を調整することによって高さと傾斜の調整を行う。挿入材は板形の部材でありその幅を高さの向きに立てた姿勢で被挿入材の空洞の中を上下に出入りする。被挿入材は挿入用の開口部を有し挿入材を４方から囲い挿入材がその内側を円滑に出入りできる空洞を有した部材である。被挿入材の上端開口部から挿入された挿入材は障害物がなければ被挿入材の内側空洞の中を被挿入材の底面まで降下する。本発明は挿入された挿入材が最初に安定した挿入姿勢を保持できる位置を上限とし挿入材が被挿入材の底面まで降下した位置を下限とする間の任意の位置に挿入材を固定することによって高さ調整を行う。そのために本発明は２つの手段を使う。第１の手段は被挿入材の長さ方向の一方の側板に設けた貫通穴と貫通穴に通す金具によって構成される。前者は側板の両端近辺部の地点に設けられた合計２個もしくはその中間の任意の地点に追加される場合は合計３個以上の手締めねじ挿入用のネジ溝のついた貫通穴である。後者は蝶ボルトやユリヤねじ等の手締めネジである。挿入材を上限と下限の間の任意の位置で固定するために手締めねじを被挿入材についた貫通穴から挿入材にねじ込み圧着により挿入材と被挿入材を固定する。第１の手段の固定により第２の手段で行う高さ調整材の高さ決めが容易になる。第２の手段は被挿入材の長さ方向の一方の側板に設けられた窓形の開口部とその開口部に差し入れる高さ調整材によって構成される。前者は側板の両端近辺部の地点に合計２個もしくはその中間の任意の地点に追加される場合は合計３個以上の窓形の開口部である。後者は厚みの異なる板である調整板を任意の高さに集積した高さ調整材である。高さ調整材は挿入材の出入りを制止する障害物として機能する。挿入材は進路の先に障害物があるとそこで制止し挿入材の出入りはその位置で固定される。本発明は挿入材の出入りの位置を制御することによって高さ調整するが挿入材の出入りの位置は障害物の高さによって決まる。従って障害物である高さ調整材の高さを調整することによって挿入材の出入りの位置を調整することができる。高さ調整材の高さ調整は厚みの異なる板である調整板を取捨選択し任意の高さに集積することにより行う。仮に高さ調整可能範囲が８０ｍｍで最小単位が１ｍｍの場合、必要な調整板は開口部の幅と奥行きに適合した４０、２０、１０、５、２、２、１ｍｍ厚の７枚である。この７枚の調整板を選択し組み合わせることにより１ｍｍ単位で自由に高さ調整材を組成することができる。第１の手段による固定により生じた挿入材の下面と被挿入材の底面との間の間隙の高さが第２の手段で組成すべき高さ調整材の高さになるからこれにあうように調整板を集積する。そして組成された高さ調整材を窓形の各開口部から挿入材の下側にあいた空隙に差し入れる。空隙が埋められると挿入材は被挿入材の底面に乗った状態になり底面から垂直抗力が働くので大きな荷重に耐えることができる。第１の手段の固定では重みに対する耐久性はないが第２の手段により大きな重みに耐えられる固定となる。本発明は高さ調整材の横ずれ防止のための手段を有する。高さ調整材の横ずれを防ぐために差し入れた高さ調整材が突き当たる反対側の側板の該当箇所に縦溝が設けられている。高さ調整材の先端部分はこの縦溝に収容され後端側は開口部の幅に挟まれた形になるので高さ調整材は左右に動くことができなくなる。後述するように挿入材が傾斜する場合、挿入材は高さ調整材の角に乗るがその際高さ調整材は横ずれしやすいのでこの手段が必要となる。本発明は従来のアジャスターで困難な斜面調整ができるところに特徴がある。本発明が水平面に設置され高さ調整した各地点の高さが異なる場合、挿入材は傾斜せざるを得ない。このとき挿入材は各地点の高さ調整材の上面の角のうちの１角に乗る形になる。ちょうど住宅の屋根の傾斜を作る垂木と梁の関係と同じである。挿入材は垂木にあたり高さ調整材は梁に相当する。挿入材が高さ調整材の上面の１角に乗って垂木と同じ姿勢をとることにより挿入材は傾斜する。本発明が傾斜調整することは２個以上の地点で独立して高さ調整を行い２個以上の地点で異なる高さ調整をした場合の必然的な結果であり効果である。被挿入材を水平に設置して挿入材を傾斜することと被挿入材を傾斜面に設置して挿入材を水平にすることは同じ機能である。従って例えば水勾配のあるベランダ面にデッキを水平に敷設しようとする場合、勾配のあるベランダ面に本発明を設置しベランダ面の高さを上げると同時に水平面に調整することができる。なお開口部の真下にあたる被挿入材の底板の一部にドライバー等を差し込むための小さな溝がついている。この溝にドライバー等を差し込んで引き上げることにより挿入材を上げることができる。被挿入材の底板の上面の幅の中央部を長さ方向全長に走る溝は水抜き用である。本発明が屋外で利用される際には水はけのよいことが必要になる。
本発明の標準的なサイズは幅約６センチ長さ３０センチ以上、高さは幅の３倍以下であるので安定して自立する。本発明は上述したように２個以上の複数地点で独立して高さ調整を行う。従って本発明の長さの範囲内にある離れた複数地点の高さ調整を本発明単体で行うことができる。
【発明の効果】
【０００５】このように本発明は容易に高さ調整および傾斜調整をすることができ本発明の長さの範囲内にある離れた複数地点の高さ調整を単体で行うことができる。
【図面の簡単な説明】
【０００６】
【図１】  ２個の高さ調整および傾斜調整を示した説明図である。
【図２】  ３個の開口部を有する本発明の高さ調整を示した説明図である。
【発明を実施するための形態】
【０００７】  本発明の目的は高さ調整と傾斜調整が容易にできて離れた複数地点の高さ調整を単体で行うことができる装置を提供することにある。この課題を解決するため本発明は挿入する材と挿入される材の２個の部材による構成とし挿入する材の出入りの位置を制御することによって本体の高さ調整を行う。高さ調整を２箇所以上の複数地点で独立して行うことにより高さ調整と共に傾斜調整を行う。高さ調整するために２つの手段を使う。
【実施例１】
【０００８】本発明の実施例について図面を参照しながら説明する。
図１は２個の開口部を有する本発明が２地点で異なる高さ調整を行う状態を示した正面図、正面断面図、左側面図および平面図である。本例では貫通穴と開口部が側板の両端近辺部の２地点に設けられ高さ調整は２地点で独立して行なわれる。被挿入材１の上端開口部２から挿入材３を挿入する。被挿入材の横長の一方の側板の両端部近辺の２地点に開口部６Ａ、６Ｂとネジ溝のついた貫通穴４がある。高さ調整できる範囲には制約があり本例では被挿入材の底面から開口部６Ａ、６Ｂの上端までとなる。任意の高さ位置で挿入材を固定するために貫通穴４に蝶ボルトやユリヤねじ等の手締めねじ５を通し挿入材にねじ込んで挿入材と被挿入材を固定する（第１の手段）。次に被挿入材の底面から挿入材の下面までの空隙と等しい高さになるように厚みの異なる板である調整板を取捨選択しその集合である高さ調整材７Ａを開口部６Ａから差し入れる（第２の手段）。高さ調整材を差し入れる際は反対側の横長の側板に突き当たるまで深く挿入し高さ調整材の先端部が側板につけられた溝８に収容されているかどうか確認する。高さ調整材の先端が溝に正しく収容されていれば左右に振っても大きく動かないのでそのことによって確認できる。同様に他方の開口部６Ｂに高さ調整材７Ｂ（７Ａより高い）を差し入れる。なお挿入材を上に引き上げるときは挿入材の上端を掴んで上にあげるかドライバー等を挿入材の底面にある溝９に差し込んで上に引き上げる。被挿入材の底板の上面の幅の中央部の全長に溝１０がついている。溝１０は水切り用である。
図２は３個の開口部を有する本発明が３地点で同じ高さ調整を行う状態を示した正面図である。上記例に加えて開口部が被挿入材の横長の側板の中央部付近に１ヵ所追加され高さ調整材の差し入れる操作が増える以外に上記例との相違点はない。
【産業上の利用可能性】
【０００９】高さ調整と傾斜調整が容易にできて離れた複数地点の高さ調整を単体で行う装置を必要とする用途に利用できる。
【符号の説明】
【００１０】１            被挿入材
２            被挿入材の上端開口部
３            挿入材
４            ネジ溝のある貫通穴
５            手締めねじ
６Ａ、６Ｂ    窓形の開口部
７Ａ、７Ｂ    高さ調整材（調整板）
８            側板の溝
９            ドライバー等差し込み用の溝
１０          水切り用の溝
【図１】
2012149758.tif 000003
【図２】
2012149758.tif 000004